(57)【要約】【課題】キャビネットに飾り板を取り付ける取付金具において、取付位置の調整ができ、かつ調整位置が固定できる取付金具を提供する【解決手段】略長方形の板状材の一端部を略コ字形に屈曲して形成した被挟持片を備え、他端部は段加工により前記挟持片と同一面に形成した固定部を有し、前記固定部の略中央にねじ留め用の固定穴を備えた被挟持金具と、略長方形の板状材の中央部を段加工し挟持部を形成し、両端部には各々ねじ留め用の取付穴を有する挟持金具からなる構成の取付金具。【選択図】　図１
2004065557.tif 000002
【特許請求の範囲】
【請求項１】
略長方形の板状材の一端部を略コ字形に屈曲して形成した被挟持片を備え、他端部は段加工により前記挟持片と同一面に形成した固定部を有し、前記固定部の略中央にねじ留め用の固定穴を備えた被挟持金具と、略長方形の板状材の中央部を段加工し挟持部を形成し、両端部には各々ねじ留め用の取付穴を有する挟持金具からなる構成の取付金具。
【請求項２】
挟持金具の挟持部の幅が、被挟持金具の被挟持片の幅より大きく、被挟持片を挟持部に挿入した状態で、隙間が形成される構成の請求項１に記載の取付金具。
【請求項３】
挟持金具の挟持部の一方もしくは両方の側端部に傾斜を設け、挿入用のガイド部を備えた請求項１および２に記載の取付金具。
【請求項４】
挟持金具を強弾性金属材料で形成した請求項１〜３に記載の取付金具。
【発明の詳細な説明】
【０００１】
【発明の属する技術分野】
本発明はシステムキッチン等の飾り板の取付金具に関するに関するものである。
【０００２】
【従来の技術】
従来、この種の取付金具としては、例えば、図４に示すように、キャビネット１に取り付ける被挟持金具２で、飾り板３に取り付けた挟持金具４を挟持する取付金具がある。
【０００３】
【発明が解決しようとする課題】
しかしながら、前記従来の構成では、キャビネットに取り付けた飾り板の取付位置の調整は可能であるが、固定ができないため、使用中に位置がずれという課題があり、また、固定するには別の金具を用意する必要があるという課題を有していた。
【０００４】
本発明は、前記従来の課題を解決するもので、キャビネットに飾り板を取り付ける取付金具において、取付位置の調整ができ、かつ調整位置が固定できる取付金具を提供することを目的とする。
【０００５】
【課題を解決するための手段】
前記従来の課題を解決するために、本発明の取付金具は、略長方形の板状材の一端部を略コ字形に屈曲して形成した被挟持片を備え、他端部は段加工により前記挟持片と同一面に形成した固定部を有し、前記固定部の略中央にねじ留め用の固定穴を備えた被挟持金具と、略長方形の板状材の中央部を段加工し挟持部を形成し、両端部には各々ねじ留め用の取付穴を有する挟持金具からなる構成としたものである。
【０００６】
これによって、キャビネットに挟持金具をねじ等で取り付け、飾り板の裏面に被挟持金具を取り付け、被挟持金具の被挟持片を挟持金具の挟持部に挿入することにより飾り板はキャビネットに仮留めすることができ、この状態で取付位置の調整ができる、取付位置調整後、被挟持金具の固定穴を介してキャビネットにねじ留めすることにより、飾り板はキャビネットに固定できる。
【０００７】
【発明の実施の形態】
請求項１に記載の発明は略長方形の板状材の一端部を略コ字形に屈曲して形成した被挟持片を備え、他端部は段加工により前記挟持片と同一面に形成した固定部を有し、前記固定部の略中央にねじ留め用の固定穴を備えた被挟持金具と、略長方形の板状材の中央部を段加工し挟持部を形成し、両端部には各々ねじ留め用の取付穴を有する挟持金具からなる構成とすることにより、キャビネットに挟持金具をねじ等で取り付け、飾り板の裏面に被挟持金具を取り付け、被挟持金具の被挟持片を挟持金具の挟持部に挿入することにより飾り板はキャビネットに仮留めすることができる。
【０００８】
この状態で取付位置の調整ができ、取付位置調整後、被挟持金具の固定穴を介してキャビネットにねじ留めすることにより、飾り板はキャビネットに固定できる。
【０００９】
ねじ留めすることにより、使用中に取付位置がずれることを防止でき、キャビネットの外観を長期に維持できることができる。
【００１０】
請求項２に記載の発明は挟持金具の挟持部の幅が、被挟持金具の被挟持片の幅より大きく、被挟持片を挟持部に挿入した状態で、隙間が形成されることにより、被挟持片と挟持部の幅方向に隙間を設けることとなり、被挟持片は上下左右いずれの方向にも、移動可能になる。
【００１１】
したがって飾り板の調整が上下左右いずれの方向でも可能になり、調整範囲が広がるとともに、被挟持金具、挟持金具の取付位置の誤差を吸収することができる。
【００１２】
請求項３に記載の発明は挟持金具の挟持部の一方もしくは両方の側端部に傾斜を設け、挿入用のガイド部を備えることにより、被挟持片をガイド部に沿って容易に挟持部に挿入することができるようになり飾り板の取付作業を容易にすることができる。
【００１３】
請求項４に記載の発明は挟持金具を強弾性金属材料で形成することにより、挟持金具の取付面の仕上がり状態が悪く凹凸があったりしても、挟持部の弾性により、挟持片を確実に挟持することができ、挟持金具の取付場所の仕上がり状態や、取付による挟持金具の変形に対しての対応力を増加することができる。
【００１４】
【実施例】
以下本発明の実施例について、図面を参照しながら説明する。
【００１５】
図１は本発明の取付金具を使用してキャビネットに飾り板を取り付けた状態の外観の斜視図を示し、図２は実施例の使用状態の斜視図を示し、図３は実施例の断面図を示す。
図１において１はキャビネットで、２は飾り板である。図２、図３において、キャビネット１の表面に挟持金具２を取付穴２ｂを介して取付ビス５で取り付けており、挟持金具２は高弾性を有するばね材で作られおり、中央の挟持部２ａが形成されている。
【００１６】
飾り板３の裏面には被挟持金具４が取付ビス５で取り付けられており、被挟持金具４は固定部４ｂが飾り板３の下端面より下方に突出する位置に取り付けてあり、固定部４ｂの固定穴４ｃを介して固定ビス６でキャビネット１に固定されている。
【００１７】
被挟持金具４の被挟持片４ａは挟持金具２の挟持部２ａに挿入され、挟持されている。
【００１８】
以上のように構成された取付金具について、以下その動作作用を説明する。
【００１９】
まず、キャビネット１に挟持金具２を取付ビス５で取り付け、飾り板３の裏面に被挟持金具４を取り付け、被挟持金具４の被挟持片４ａを挟持金具２の挟持部２ａに挿入することにより飾り板３はキャビネット１仮留めすることができる。
【００２０】
この状態で取付位置の調整ができ、取付位置調整後、被挟持金具３の固定穴３を介して固定ビス６でキャビネット１に固定することにより、飾り板３はキャビネット１に確実に固定できる。
【００２１】
この状態で使用中に飾り板３に力や衝撃が加わっても飾り板３の取付位置がずれることはなく、キャビネットの外観を長期に維持できることができる。
【００２２】
【発明の効果】
以上のように、請求項１から４のいずれか一項記載の発明によれば、飾り板はキャビネットに仮留めした後にに、取付位置の調整が可能で、調整後ねじで固定することにより、使用中に取付位置がずれることを防止でき、キャビネットの外観を長期に維持することができる。
【図面の簡単な説明】
【図１】本発明の取付金具をキャビネットにへの使用状態を示すの斜視図
【図２】本発明の実施例における取付金具の使用状態を示す斜視図
【図３】本発明の実施例における取付金具の使用状態を示す断面図
【図４】従来の取付金具を示す断面図
【符号の説明】
１　キャビネット
２　挟持金具
２ａ　挟持部
２ｂ　取付穴
４　被挟持金具
４ａ　被挟持片
４ｂ　固定部
４ｃ　固定穴
【図１】
2004065557.tif 000003
【図２】
2004065557.tif 000004
【図３】
2004065557.tif 000005
【図４】
2004065557.tif 000006